(57)【特許請求の範囲】
【請求項１】
建物の開口部の天井部に配置された長尺シャフトにより巻上げ巻き降しする広幅耐火シートと、その広幅耐火シートの幅方向に隣接し、同天井部に配置された短尺シャフトにより巻上げ巻き降しする狭幅耐火シートとから成り、各耐火シートの下端部に座板がそれぞれ取り付けられ、火災発生時に該開口部を閉鎖して火災の拡散を防止するシートシャッターにおいて、
前記短尺シャフトは、狭幅耐火シートを巻き上げ傾向に付勢させるスプリングを有し、前記広幅耐火シートは、前記開口部の幅方向適所に隙間部を設け、該隙間部に狭幅耐火シートを配設し、前記広幅耐火シートと狭幅耐火シートとの隣接縁部が互いに重合する関係とするとともに、前記広幅耐火シート側座板と狭幅耐火シート側座板とが互いに重合する関係となし、かつ両者の重なり部にマグネットによる吸着手段を設けてなり、
狭幅耐火シート側座板を持上げると前記短尺シャフトのスプリング力で狭幅耐火シートが巻き上がり、該座板を離すと座板重量により、狭幅耐火シート座板が広幅耐火シート側座板位置まで下降したうえマグネットに吸着されるようにしたことを特徴とする避難用脱出口を設けたシートシャッター。
【発明の詳細な説明】
【０００１】
【発明の属する技術分野】
本発明は、火災発生時に建築物の区画間（部屋と部屋との間等）の開口部を閉鎖して火災の延焼を防止するシートシャッターに係り、特に、閉鎖後においても人間が通行できる脱出口を設置する技術に関する。
【０００２】
【従来の技術】
一般にビル等の建築物等においては、火災が発生した場合に炎の回りが速いと被害が拡大するので、建築物の区画間等の開口部にシートシャッターを配置し、火災発生時にこのシートシャッターを下降させて開口部を閉鎖することにより炎の延焼を防止するようにしている。
【０００３】
従来におけるシートシャッターは、開口部の天井部位にシャフトを配置し、該シャフトに耐火シートを捲着し、シャフトを開閉機により可逆的に回転させることにより、耐火シートを昇降可能とさせ、火災発生時には該耐火シートを下降させて開口部を閉鎖することにより炎の延焼を防止している。
【０００４】
ところが、このようなシートシャッターは一旦下降させて開口部を閉鎖すると隙間を開けることが困難であり、人間が通行することができない。従って、火災発生現場に人間が取り残された場合等には、避難が遅れる場合がある。
【０００５】
【発明が解決しようとする課題】
上記したように、従来におけるシートシャッターにおいては、一旦耐火シートを下降し開口部を閉鎖すると、炎の延焼を防止することができるものの、同時に人間の通行をも阻止してしまうので、火災現場に取り残された人間の避難が遅れてしまうという問題が発生していた。
【０００６】
この発明はこのような従来の課題を解決するためになされたものであり、その目的とするところは、火災発生時には炎の延焼を防止することができると共に、人間の通行を確保し得る脱出口を設けたシートシャッターを提供することにある。
【０００７】
【課題を解決するための手段】
上記目的を達成するため、本発明は、建物の開口部の天井部に配置された長尺シャフトにより巻上げ巻き降しする広幅耐火シートと、その広幅耐火シートの幅方向に隣接し、同天井部に配置された短尺シャフトにより巻上げ巻き降しする狭幅耐火シートとから成り、各耐火シートの下端部に座板がそれぞれ取り付けられ、火災発生時に該開口部を閉鎖して火災の拡散を防止するシートシャッターにおいて、
前記短尺シャフトは、狭幅耐火シートを巻き上げ傾向に付勢させるスプリングを有し、前記広幅耐火シートは、前記開口部の幅方向適所に隙間部を設け、該隙間部に狭幅耐火シートを配設し、前記広幅耐火シートと狭幅耐火シートとの隣接縁部が互いに重合する関係とするとともに、前記広幅耐火シート側座板と狭幅耐火シート側座板とが互いに重合する関係となし、かつ両者の重なり部にマグネットによる吸着手段を設けてなり、
狭幅耐火シート側座板を持上げると前記短尺シャフトのスプリング力で狭幅耐火シートが巻き上がり、該座板を離すと座板重量により、狭幅耐火シート座板が広幅耐火シート側座板位置まで下降したうえマグネットに吸着されるようにしたことを特徴とする避難用脱出口を設けたシートシャッターである。
【０００９】
上述の如く構成された本発明によれば、通常時にはマグネット等の吸着手段により長尺座板と短尺座板とが固定されているので、広幅耐火シート及び狭幅耐火シートは連動して昇降する。従って、火災発生時に開閉機を回転させて広幅耐火シートを下降させると、広幅耐火シート及び狭幅耐火シートにより、開口部全体を閉鎖することができ、炎の延焼を防止することができるようになる。また、当該シートシャッターにより閉鎖された部分を人間が通過する際には、吸着手段を切り離すことにより、狭幅耐火シートを長尺座板から切り離すことができ、この部分を脱出口として通過することができる。従って、火災発生時には容易且つ迅速に避難することができる。
【００１０】
また、短尺シャフトの内部にスプリングが設置され、狭幅耐火シートを巻き取り傾向に付勢しているので、吸着手段を切り離して短尺座板を持ち上げると、狭幅耐火シートはこの付勢力により自動的に巻き取られるので、容易に脱出口を確保することができ、この脱出口を利用して避難することができるようになる。
【００１１】
【発明の実施の形態】
以下、本発明の実施形態を図面に基づいて説明する。図１は、本発明の一実施形態に係るシートシャッターの構成を示す正面断面図、図２は図１におけるＡ−Ａ断面図、図３は横断面図をそれぞれ示しており、このシートシャッターは火災発生時には耐火シート１，２が開口部両端に配置されたガイドレール３ａ，３ｂに沿って下降し、該開口部を閉鎖して炎の延焼を阻止するものである。
【００１２】
図示のように、開口部の天井部位には、開口部の幅方向に沿って長尺シャフト４が設置されており、該長尺シャフト４には広幅耐火シート１が捲着され（図３参照）、この広幅耐火シート１は図中右側に所定距離Ｌ１だけ開口部の幅よりも狭幅とされ、隙間部分が形成されている。また、この広幅耐火シート１の下端部には、開口部の幅とほぼ同一長さの長尺座板１０が取り付けられており、従って、この長尺座板１０は広幅耐火シート１の部分のみならず、開口部の幅方向全体に渡って配置されている。更に、後述するように、長尺座板１０の右側部分（図１に示す距離Ｌ２の部分）には、吸着手段としてのマグネット１１が取り付けられている。なお、隙間部分の幅Ｌ１は人間が容易に通過できる程度の幅としており、具体的には、６００〜１０００mm程度とするのが望ましい。
【００１３】
長尺シャフト４の一端にはスプロケット５が取り付けられ、該スプロケット５は、図３に示すチェーン６により開閉機７（駆動手段）の出力軸８に連結されているので、開閉機７を可逆的に回転駆動させることにより長尺シャフト４は回転駆動することになり、ひいては広幅耐火シート１を昇降させることができる。
【００１４】
また、前記した広幅耐火シート１が展張されない隙間部分（距離Ｌ１の部分）の天井部位にはこの距離Ｌ１よりも若干長い短尺シャフト９が設置されており、この短尺シャフト９には狭幅耐火シート２が捲着され、この狭幅耐火シート２の下端部には前記したマグネット１１に吸着し得る金属製の短尺座板１２が取り付けられている。短尺シャフト９は、後述するように、内部にスプリングが配置されており、該スプリングにより狭幅耐火シート２を常時巻き取り傾向に付勢している。
【００１５】
図４は、長尺座板１０とマグネット１１との取り合いの様子を示す説明図であり、図示のように、長尺座板１０は広幅耐火シート１の下端部に巻き付けられて固定され、該長尺座板１０の狭幅耐火シート２と重複する部分（即ち、図１に示す距離Ｌ２に示す部分）には長尺平板形状のマグネット１１が固定されている。一方、前記したように狭幅耐火シート２の下端部には金属製の短尺座板１２が配置されているので、マグネット１１と短尺座板１２とは磁気的な吸着力により固定されることになる。
【００１６】
図５は短尺シャフト９の構成を示す斜視図、図６は該短尺シャフト９の断面図であり、同図に示されるように、短尺シャフト９の内部にはスプリング１３が内臓されており、一定の方向に回転付勢されるようになっている。即ち、図６に示されるように、短尺シャフト９は外筒部１６と、この外筒部１６内部に配置される内側シャフト１７とを有しており、外筒部１６の一端は回転軸１８に連結され、内側シャフト１７の一端は固定軸１９に連結されている。そして、この回転軸１８は図５に示すように回転側ブラケット１４に軸支され、固定軸１９は固定側ブラケット１５に軸支されている。
【００１７】
また、内側シャフト１７の周囲には弦巻状のスプリング３が配置されており、該スプリング３の一端は固定ピン２０により内側シャフト１７に固定されている。更に、スプリング３の他端は固定ピン２１により筒体２２に固定されており、該筒体２２は外筒部１６に固定されている。そして、内側シャフト１７の一端は筒体２２内部の軸受部２３に軸支されている。従って、狭幅耐火シート２の下降に伴って外筒部１６が回転すると、スプリング３の付勢力により外筒部１６は巻き取り傾向に付勢されることになる。
【００１８】
次に、上記の如く構成された本実施形態の作用について説明する。通常時には、狭幅耐火シート２の下端部に取り付けられた短尺座板１２は長尺座板１０のマグネット１１に吸着して固定されているので（図４参照）、広幅耐火シート１と連動して昇降することになる。即ち、開閉機７を回転駆動させて広幅耐火シート１を上昇させると、これに連動して狭幅耐火シート２もまた上昇し、開閉機７を逆方向に回転させて広幅耐火シート１を下降させるとこれに伴って狭幅耐火シート２もまた下降することになる。従って、火災発生時に開閉機７を駆動させて長尺シャフト４を回転させ、広幅耐火シート１を下降させると、マグネット１１と短尺座板１２との吸着力がスプリング１３の付勢力に抗して狭幅耐火シート２が下降することになり、これにより開口部全体を広幅耐火シート１及び狭幅耐火シート２により閉鎖することができ、炎の延焼を防止することができる。
【００１９】
ここで、人間が避難する際に、各耐火シート１，２により閉鎖された開口部を通過したい場合には、狭幅耐火シート２の下端部に取り付けられた短尺座板１２をマグネット１１から取り外し、該短尺座板１２を持ち上げると、スプリング１３の付勢力により狭幅耐火シート２は短尺シャフト９により巻き取られることになるので、この部分が開口されることになり、この開口された隙間を通過することができる。そして、通過した後には、短尺座板１２から手を離すとこの重量により短尺座板１２は下降し、再度マグネット１１に吸着されるのでこの隙間部分を閉鎖することができ、炎の延焼を防止することができるようになる。
【００２０】
このようにして、本実施形態のシートシャッターにおいては、開口部全体を広幅耐火シート１及び狭幅耐火シート２により閉鎖しており、人間が通過する際には、マグネット１１の磁力により吸着された狭幅耐火シート２を長尺座板１０から外して上昇させ、この部分を利用して通ることができる。従って、シートシャッターが下降して開口部を閉鎖している状態でも狭幅耐火シート２を巻き上げてこの部分を脱出口とすることにより容易に人間が通過することができるので、たとえ火災発生現場に人間が取り残された場合においても安全且つ迅速に避難することができる。
【００２１】
なお、上記した実施形態では、図４に示すように長尺座板１０の側面にマグネット１１を取り付け、これに対して短尺座板１２を吸着する構成としたが、本発明はこれに限定されるものでは無く、例えば、図７に示すように長尺座板１０の下端に、床面に対し略平行となるプレート２４を取り付け、該プレート２４の上面にマグネット１１を配置して、短尺座板１２を吸着する構成としても良いものである。更に、上記実施形態では、長尺座板１０側にマグネット１１を取り付ける例について説明したが、これとは反対に短尺座板１２側にマグネット１１を取り付けて長尺座板１０と連結させるようにしても良いし、また、長尺座板１０及び短尺座板１２の両側にマグネット１１を取り付けて両者を吸着させるようにしても良い。また、上記実施形態では、吸着手段としてマグネット１１を使用する例について説明したが、本発明はこれに限定されるものでは無く、互いに吸着し且つこの吸着を容易に切り離すことができるものであれば適宜使用することができるものである。
【００２２】
次に、本発明の第２の実施形態について説明する。図８は、第２の実施形態に係るシートシャッターの構成を示す正面断面図であり、同図に示すようにこのシートシャッターは、図１に示したものと比較して、狭幅耐火シートの取り付け位置が異なっている。即ち、この実施形態においては、狭幅耐火シート３４が開口部略中央に配置されており、その両端には分割された広幅耐火シート３１ａ，３１ｂが配置されている。そして、各広幅耐火シート３１ａ，３１ｂはそれぞれ長尺シャフト３２ａ，３２ｂに捲着されており、該長尺シャフト３２ａ，３２ｂはそれぞれカップリング３３により軸着されている。そして、一方の長尺シャフト３２ｂの端部がスプロケット５を介して開閉機に接続されており、前記した第１の実施形態と同様に可逆的に回転駆動されるようになっている。
【００２３】
また、２本の長尺シャフト３２ａ，３２ｂの中間部に若干重複して配置される短尺シャフト３８には狭幅耐火シート３４が捲着されており、下端部には短尺座板３５が配置され、長尺座板３６に取り付けられたマグネット（不図示）に吸着して固定されるようになっている。なお、この固定方法の詳細は図４に示した構成と同一であるので説明を省略する。更に、短尺シャフト３８は前記した第１の実施形態と同様にスプリングより巻き取り傾向に付勢されており、従って、短尺座板３５をマグネットから切り離してこれを持ち上げると、スプリング（図６に示すスプリング１３）の付勢力により、狭幅耐火シート３４が巻き取られるようになっている。
【００２４】
そして、本実施形態においても上記した第１の実施形態と同様に、長尺座板３６に取り付けられたマグネットに短尺座板３５が吸着されて狭幅耐火シート３４が固定されるので、通常時には広幅耐火シート３１ａ，３１ｂの昇降に伴って狭幅耐火シート３４もまた昇降することになる。そして、火災発生時に各耐火シート３１ａ，３１ｂ、３４を閉鎖した状態にて人間がこの部分を通過したい場合には、マグネットから短尺座板３５を取り外してこの短尺座板３５を持ち上げれば、スプリングの付勢力により狭幅耐火シート３４が巻き取られるので、この部分が開口され脱出口として人間が通行することができる。
【００２５】
このようにして、第２の実施形態では、第１の実施形態と同様に、火災発生時にシートシャッターにより開口部が閉鎖されている場合においても、狭幅耐火シート３４を巻き上げることにより脱出口を開けることができるので、容易に人間が通行することができ、容易且つ速やかに避難することができるようになる。
【００２６】
【発明の効果】
以上説明したように、本発明によれば、閉鎖すべき開口部を広幅耐火シート及び狭幅耐火シートにより閉鎖する構成とし、狭幅耐火シートの下端部をマグネット等の吸着手段の吸着力により長尺座板に固定しているので、当該シートシャッターにて開口部を閉鎖した後、人間が通過する際には、マグネットによる吸着を離脱させれば容易に狭幅耐火シートを巻き上げることができ、この部分を脱出口として人間が通行することができるようになる。これにより、火災発生時には炎の延焼を防止することができると共に、容易且つ迅速に避難することができるという効果が得られる。
【図面の簡単な説明】
【図１】本発明の第１の実施形態に係るシートシャッターの構成を示す正面断面図。
【図２】図１におけるＡ−Ａ断面図。
【図３】第１の実施形態に係るシートシャッターの横断面図。
【図４】長尺座板と短尺座板とをマグネットにより固定する様子を示す説明図。
【図５】短尺シャフトの構成を示す斜視図。
【図６】短尺シャフトの内部構成を詳細に示す説明図。
【図７】本発明の第２の実施形態に係るシートシャッターの正面断面図。
【図８】長尺座板と短尺座板とをマグネットにより固定する際の変形例を示す説明図。
【符号の説明】
１，３１ａ，３１ｂ  広幅耐火シート
２、３４  狭幅耐火シート
３ａ，３ｂ  ガイドレール
４，３２ａ，３２ｂ  長尺シャフト
５  スプロケット
６  チェーン
７  開閉機（駆動手段）
８  出力軸
９，３８  短尺シャフト
１０，３６  長尺座板
１１  マグネット
１２，３５  短尺座板
１３  スプリング
１４  回転側ブラケット
１５  固定側ブラケット
１６  外筒体
１７  内側シャフト
１８  回転軸
１９  固定軸
２０，２１  固定ピン
２２  筒体
２３  軸受部
２４  プレート
３３  カップリング
【図１】
0003787020.tif 000002
【図２】
0003787020.tif 000003
【図３】
0003787020.tif 000004
【図４】
0003787020.tif 000005
【図５】
0003787020.tif 000006
【図６】
0003787020.tif 000007
【図７】
0003787020.tif 000008
【図８】
0003787020.tif 000009